(57)【特許請求の範囲】
【請求項１】
軸方向に延びた中空筒状のグローブとその内方に位置する光源グループとを有する表示系ユニットと、前記表示系ユニットの前記軸方向における一方側に配置され前記表示系ユニットの前記光源グループの発光制御を行う制御系ユニットとを備える表示装置であって、
前記表示系ユニットの前記軸方向における他方側に、前記軸方向と直交する水平方向に傾倒可能な一対の可動部を側頭部に有し、前記一対の可動部のうち少なくとも一方の可動部は、外部の装置との無線データ通信機能を有するアンテナを内蔵し、外部の装置との無線データ通信機能を有するヘッドユニットが配置されるとともに、導電性の金属素材から構成され、かつ連通部を有する単一の柱状体が前記グローブの内方に配置され、その単一の柱状体の前記連通部は、前記制御系ユニットの内部空間と前記ヘッドユニットの内部空間とを連通し、前記ヘッドユニットと前記制御系ユニットとの間におけるデータ通信用の信号ケーブルを収容し、さらにその単一の柱状体は、前記制御系ユニットのグランド端子と電気的に接続されることを特徴とする表示装置。
【請求項２】
前記表示系ユニットは、前記中空筒状のグローブとそのグローブに覆われ前記軸方向に沿って相互に離間して積層された複数の前記光源グループとを有し、前記制御系ユニットは、前記表示系ユニットの各層の前記光源グループの発光制御を行い、前記単一の柱状体の前記連通部は、前記軸方向に沿って前記表示系ユニットの各層に跨って延びることを特徴とする請求項１に記載の表示装置。
【請求項３】
前記単一の柱状体は、弾性を有する導電性の金属素材から構成され、前記軸方向と直交する平面による直交断面形状がコの字形状またはＵ字形状となる形態を有し、その内周側の面と、前記軸方向に沿った両端を結ぶ仮想平面とにより囲まれた空間が、前記連通部を構成することを特徴とする請求項１または２記載の表示装置。
【請求項４】
前記単一の柱状体の上端部は、前記ヘッドユニットの下部に連結されるとともに、前記単一の柱状体の下端部は、前記制御系ユニットの上部に連結されることにより、前記制御系ユニットは、前記単一の柱状体を介して前記ヘッドユニットを支持することを特徴とする請求項１から３のいずれか１項に記載の表示装置。
【請求項５】
前記単一の柱状体は、弾性を有する導電性の金属素材から構成されることを特徴とする請求項１から４のいずれか１項に記載の表示装置。
【請求項６】
前記制御系ユニットにおいて、前記一対の可動部が傾倒する方向のいずれか一方を中央として中心角１８０°内に収まる外周範囲内に操作パネル部とインジケータ部を配置することを特徴とする請求項１から５のいずれか１項に記載の表示装置。
【発明の詳細な説明】
【技術分野】
【０００１】  本発明は、軸方向に延びた中空筒状のグローブを有する表示系ユニットと、表示系ユニットの軸方向における一方側に配置され表示系ユニットの光源グループの発光制御を行う制御系ユニットとを備える表示装置に関する。
【背景技術】
【０００２】  従来、ＬＥＤのグループが軸方向（使用状態における上下方向であって参照図における上下方向と一致する、以下同じ）に複数段積み重ねられ、タワー形状の透光性を有するグローブで覆われた形態の表示系ユニットが、制御系ユニットの上部に載置された構造が知られていた。【０００３】  そのタワー型表示灯の具体的な構成として、制御系ユニットが表示部動作指示部における指示信号を読みとり、その指示信号に応じたデジタル信号を信号ラインを介して表示系ユニットの各表示部に伝達するとともに、表示部動作電圧を電力供給ラインを介して各表示部に印加するものがある（例えば、特許文献１参照）。【０００４】  また、発光ダイオードユニットの一部を構成する反射部材が、円錐形状を有し、その外部空間（発光ダイオードの光路の一部）に、隣接する発光ダイオードユニットから垂下する６本の接続ピンが一直線上に並べられ、それぞれに対応するコネクタに接続（嵌挿）された構成の信号灯も知られていた（例えば、特許文献２参照）。【０００５】  前者の構成を、図１０（ａ）と図１０（ｂ）を参照して、以下に説明する。【０００６】  図１０（ａ）は、従来の全体構成を一部断面で概略的に示した図で、図１０（ｂ）は、上下に隣接する発光部の一部分の構成を一部断面で示した図である。【０００７】  図１０（ａ）で示したように、軸方向に長く延びる表示系ユニットにおいて、相互に異なる４色が発光できるように、全部で４段の表示部から構成され、それぞれの表示部毎に予め決められた色の発光部が相互に分離可能なグローブ内にそれぞれ搭載されている。【０００８】  ここで、表示部４１０のグローブ３１０、表示部４２０のグローブ３２０、表示部４３０のグローブ３３０、表示部４４０のグローブ３４０は、それぞれ雄ねじｍｓと雌ねじｆｓの螺合により相互に分離可能に接続され、ベース部材Ｂ上に載置されている。【０００９】  そして、グローブ３１０の内方には発光部２１０が、グローブ３２０の内方には発光部２２０が、グローブ３３０の内方には発光部２３０が、グローブ３４０の内方には発光部２４０がそれぞれ搭載されている。【００１０】  また、それぞれの発光部においては、その一部を構成する基板の上面に複数のＬＥＤが上方向に向いて直立するように実装されている。【００１１】  そして、各発光部においては、コネクタ２００がそれぞれの基板の中央部の孔部に挿嵌され固定されており、発光部を上下方向に積み重ねることにより最下のコネクタＣを介してメイン制御部ＭＣからの信号ラインＣｃ及び電力供給ラインＣａ、Ｃｂが接続される。【００１２】  これにより、各基板が電気的にも機械的にも直列に接続されることになる。【００１３】  図１０（ｂ）は、上下に隣り合う基板１１０と基板１２０がコネクタ２００を介した接続状態を拡大して示している。【００１４】  本図から明らかなように、上側に位置するコネクタ２００のコネクタ雄部２０２を下側に位置するコネクタ２００のコネクタ雌部２０１に挿入することで分離可能に接続されている。【００１５】  そして、各コネクタ２００は３本の導電体ａ、ｂ、ｃを絶縁性樹脂体に保持させたものである。【００１６】  各導電体はそれぞれ全体として棒状に形成されており、コネクタ雌部２０１に位置する部分はプラグ差し込み可能に雌形に形成されており、コネクタ雄部２０２に位置する部分はプラグ形に形成されて下方へ突出している。【００１７】  したがって、上下に隣り合うコネクタ２００とコネクタ２００同士においては、上側コネクタの導電体ａ、ｂ、ｃの下方へ突出したプラグ部分を下側コネクタの導電体ａ、ｂ、ｃの雌形部分にそれぞれ差し込み挿入できる。【００１８】  このように、表示部４１０〜４４０において各グローブを除く部分を相互に分離可能に多段に積み重ねることにより、電気的にも機械的にも接続がなされている。
【先行技術文献】
【特許文献】
【００１９】
【特許文献１】  特開２００６−３０７３９号公報
【特許文献２】  特許第３０７１４１９号公報
【発明の概要】
【発明が解決しようとする課題】
【００２０】  しかしながら、前述した従来の構成では、既存の表示部を別のものと交換したり、層間に新たな表示部を追加したりすることは容易となるものの、分離可能なように相互に隣接するコネクタ２００間には境界部が存在することによる課題があった。【００２１】  つまり、外部から加わる振動を受けやすい環境に設置された場合や仮に落下の衝撃などによって慣性力が生じるとその境界部に集中的に変位応力が作用し、それぞれが離間、分離し易くなるという課題があった。【００２２】  例えば、半導体ダイチップ実装装置やチップマウンタ装置であれば、モータ駆動により一秒間に数回の速度で頻繁にピックアップヘッドの移動と停止が繰り返されるため、それらの装置に搭載された場合などはそのような課題が顕著となるおそれがあった。【００２３】  とりわけ、直列的に多段に接続された複数のコネクタ２００が、各層毎に配置された複数のＬＥＤや基板を含む発光部を支持することに加え、連接されたコネクタ２００の下方端部がメイン制御部に固定された構成であるため、前述したように表示装置全体に慣性力が作用する場合においては、表示部が多段になればなるほどコネクタ２００の下方端部の固定部分を支点とした振り子現象が発生し易くなる。【００２４】  これにより、軸方向と直交する方向における変位が各コネクタ２００において生じると、３本の導電体ａ、ｂ、ｃのコネクタ雄部２０２がコネクタ雌部２０１に嵌合された境界部に応力が集中し、それが変形応力として作用する。【００２５】  その結果、コネクタ雄部２０２とコネクタ雌部２０１の平行度が保てなくなり３本の導電体間同士の接触不良、３本の導電体ａ、ｂ、ｃの付け根部分の剪断、または３本の導電体間の絶縁性を確保する樹脂体の変形による絶縁不良などを引き起こすおそれもあった。【００２６】  仮に、上記課題を解決するために、接続用のコネクタ２００とは別にその外周側において層間の接続を機械的に補強する部材を設けようとしても、その分構造がより複雑となるばかりでなく、発光部のＬＥＤから放射され周方向へ向かう光が途中で遮光されてしまい十分な光量が得られないことも明らかであった。【００２７】  また、他の事例として、表示部の各層が分離可能となるよう、１本の長尺状のネジを用いて各層を構成する部材を貫くように挿通して、上下方向からボルトで狭着する構成も知られている。【００２８】  しかしながら、そのような構造においては、各層間の電気的な接続を長尺状のネジの外側に設けた雄型ピンと雌型ソケットなどにより確保することが必要となっていた。【００２９】  そのため、それぞれの基板間において順次電極間を接続するための構造がより複雑となり、前述したような外部から加わる振動や落下の衝撃による影響が雄型ピンと雌型ソケットの接続部にも作用するばかりでなく、ＬＥＤから放射される光を遮光してしまうという別の課題も生じていた。【００３０】  本発明は、上記の課題を解決するもので、軸方向と直交する全方向において曲がりに対する表示系ユニット全体の強度の確保と軽量化を達成するとともに、連通部を介して最短で制御系ユニットとヘッドユニットとの間の電気的な接続を確保できる表示装置を提供することを目的とする。
【課題を解決するための手段】
【００３１】  前記従来の課題を解決するために、本発明の表示装置によれば、軸方向に延びた中空筒状のグローブとその内方に位置する光源グループとを有する表示系ユニットと、表示系ユニットの軸方向における一方側に配置され表示系ユニットの光源グループの発光制御を行う制御系ユニットとを備える表示装置であって、表示系ユニットの軸方向における他方側にヘッドユニットが配置されるとともに、連通部を有する単一の柱状体がグローブの内方に配置され、その単一の柱状体の連通部は、制御系ユニットの内部空間とヘッドユニットの内部空間とを連通することを特徴としている。【００３２】  これにより、全方位における曲がりに対する表示系ユニットの強度を確保しつつ軽量化を実現できる。【００３３】  また、連通部を介して最短で制御系ユニットとヘッドユニットとの間の電気的な接続経路、例えば電源接続経路や信号伝達経路を予め確保でき、前述した変位応力が直接的にそれらの接続経路に対して変形応力として作用することを防止でき、その分安定した導通状態を維持できる。【００３４】  本発明の表示装置によれば、前記構成に加え、表示系ユニットは、中空筒状のグローブとそのグローブに覆われ軸方向に沿って相互に離間して積層された複数の光源グループとを有し、制御系ユニットは、表示系ユニットの各層の光源グループの発光制御を行い、単一の柱状体の連通部は、軸方向に沿って表示系ユニットの各層に跨って延びることが好ましい。【００３５】  これにより、各層毎に分断できる構造ではないので、全方位における曲がりに対する表示系ユニットの強度を確保しつつ軽量化を実現できる。【００３６】  つまり、外部から加わる振動、落下の衝撃などによる慣性力が複数の光源グループや回路基板に作用したとしても、単一の柱状体が軸方向に延びて内在することにより、下方の固定部分を支点とした振り子現象による光源グループや回路基板の軸方向と直交する方向への変位が小さくなり同時にその変位応力の集中を抑制できる。【００３７】  また、連通部を介して最短で制御系ユニットとヘッドユニットとの間の電気的な接続経路、例えば電源接続経路や信号伝達経路を予め確保でき、前述した変位応力が直接的にそれらの接続経路に対して変形応力として作用することを防止でき、その分安定した導通状態を維持できる。【００３８】  例えば、単一の柱状体の連通部に収容されるリードワイヤを介して制御系ユニットとヘッドユニットとの間を接続すれば、背景技術の中で記述したような導電体が絶縁性樹脂体に埋め込まれたソケットを複数段用いることや発光部のそれぞれの光源グループが実装された回路基板上でピンとソケットを介して接続することなど複雑な構造を必要とせず、構造が簡素化されるだけでなく、電気的な接続経路の接続点に前述した変位による応力が集中して加わるという課題を極めて効果的に解決できる。【００３９】  本発明の表示装置によれば、前記構成に加え、単一の柱状体は、弾性を有する導電性の金属素材から構成され、軸方向と直交する平面による直交断面形状がコの字形状またはＵ字形状となる形態を有し、その内周側の面と、軸方向に沿った両端を結ぶ仮想平面とにより囲まれた空間が、連通部を構成することが好ましい。【００４０】  これにより、外部から加わる振動や落下の衝撃によって生じる光源グループや回路基板の変位が単一の柱状体に作用しても弾性変形により変位応力が吸収され局所的な応力集中を抑制できる。【００４１】  また、ヘッドユニットと制御系ユニットとの間において伝達される信号に対する外部から侵入する無線ノイズの影響が軽減されるという、所謂シールド効果も有効に得られ、歪みの少ない安定したパルス信号を伝達できる。【００４２】  すなわち、安定した状態でデータ通信のための信号伝達経路を確保できる。【００４３】  一方、直交断面形状がコの字形状またはＵ字形状となる形態、すなわち、単一の柱状体の内周側に位置する連通部が軸方向に沿って開放（外部空間と接続）された形態であるため、例えば本発明に係わる装置の組み立て過程において前述した制御系ユニットとヘッドユニットとの間の電気的な接続経路を構成する信号ケーブルを収容する作業が容易となる。【００４４】  本発明の表示装置によれば、前記構成に加え、単一の柱状体の上端部は、ヘッドユニットの下部に連結されるとともに、単一の柱状体の下端部は、制御系ユニットの上部に連結されることにより、制御系ユニットは、単一の柱状体を介してヘッドユニットを支持することが好ましい。【００４５】  これにより、各層毎に分断されていない単一の柱状体によりヘッドユニットが制御系ユニットに対して強固に支持されるため、外部から加わる振動、落下の衝撃などによる慣性力がヘッドユニットに加わっても振り子現象が軽減されるため、ヘッドユニットと制御系ユニットとの間の電気的な接続経路に対する変位を小さくできる。【００４６】  本発明の表示装置によれば、前記構成に加え、ヘッドユニットは、外部の装置との無線データ通信機能を有し、制御系ユニットとの間において、単一の柱状体の連通部に収容されるデータ通信用の信号ケーブルを介してデータ通信を行うことが好ましい。【００４７】  これにより、データ通信のための信号伝達経路として各層毎に分かれた回路基板を経由させる必要がなく、単一の柱状体の連通部内に収容させ最短で直線的に配設できるため、外部から加わる振動や落下の衝撃によって生じる光源グループや回路基板の変位の影響を受けることなく、安定した無線データ通信を実現できる。【００４８】  本発明の表示装置によれば、前記構成に加え、ヘッドユニットは、軸方向と直交する水平方向に傾倒可能な一対の可動部を有することが好ましい。【００４９】  これにより、やじろべえの釣り合い原理を利用でき、外部から加わる振動が原因で生じるヘッドユニットの揺動を防止する作用が得られる。【００５０】  例えば、一対のそれぞれの可動部を軸方向（鉛直方向）に対して直角、かつ、相互に真反対となる向きに傾倒させるとより顕著に揺動を防止できる。【００５１】  本発明の表示装置によれば、前記構成に加え、一対の可動部のうち少なくとも一方の可動部は、外部の装置との無線データ通信機能を有するアンテナを内蔵することが好ましい。【００５２】  これにより、仮にヘッドユニットが電波の伝搬を阻害する金属筐体で構成されている場合であっても外部の装置との無線データ通信を実現できるばかりでなく、通信距離を伸ばすこともできる。【０���５３】  本発明の表示装置によれば、前記構成に加え、単一の柱状体は、弾性を有する導電性の金属素材から構成され、かつ、制御系ユニットのグランド端子と電気的に接続されることが好ましい。【００５４】  これにより、外部から加わる振動や落下の衝撃によって生じる光源グループや回路基板の変位が単一の柱状体に作用しても弾性変形により変位応力が吸収され局所的な応力集中を抑制できる。【００５５】  また、ヘッドユニットと制御系ユニットとの間において伝達される信号に対する外部から侵入する無線ノイズの影響が軽減されるという、所謂シールド効果も有効に得られ、歪みの少ない安定したパルス信号を伝達できる。【００５６】  すなわち、安定した状態でデータ通信のための信号伝達経路を確保できる。【００５７】  本発明の表示装置によれば、前記構成に加え、制御系ユニットにおいて、一対の可動部が傾倒する方向のいずれか一方を中央として中心角１８０°内に収まる外周範囲内に操作パネル部とインジケータ部を配置することが好ましい。【００５８】  これにより、オペレータが可動部の傾倒状態（傾倒角度）を調整しながら、送受信の状態を同一視野内でインジケータ部を視認することが容易となり、加えて操作パネル部内に配置された各種スイッチの設定やコンフィグレーション設定用ピンジャックにパソコンなどの外部機器を接続してファームウェアのＵＰ／ＤＯＷＮロードなども容易となる。
【発明の効果】
【００５９】  本発明による表示装置によれば、軸方向と直交する全方向において曲がりに対する表示系ユニット全体の強度の確保と軽量化を実現するとともに、連通部を介して最短で制御系ユニットとヘッドユニットとの間の電気的な接続を確保できる。
【図面の簡単な説明】
【００６０】
【図１】本発明の実施の形態１における表示装置の全体斜視図
【図２】本発明の実施の形態１における表示装置のＹ方向の背面側から見た簡略断面図
【図３】本発明の実施の形態１における制御系ユニット、表示系ユニット及びヘッドユニットの相互の関係を示すブロック図
【図４】本発明の実施の形態１における表示装置の制御系ユニット及び表示系ユニットの一部の分解斜視図
【図５】本発明の実施の形態１における表示装置の表示系ユニット及びヘッドユニットの一部の分解斜視図
【図６】（ａ）単一の柱状体の連通部に信号ケーブルが収容された状態を示す内部斜視図、（ｂ）単一の柱状体の連通部に信号ケーブルが収容された状態を示す内部側面図
【図７】（ａ）柱状体の直交断面形状がコの字形状の場合における信号ケーブルの収容状態を示す図、（ｂ）柱状体の直交断面形状がＵの字形状の場合における信号ケーブルの収容状態を示す図、（ｃ）柱状体の直交断面形状がドーナツ形状（柱状体が円筒型パイプ形状）の場合における信号ケーブルの収容状態を示す図
【図８】反射部材の形状を変えた３態様の光線追跡、輝度イメージ及び輝度分布の比較図
【図９】本発明の実施の形態１における表示装置と外部の装置との関係を示すブロック図
【図１０】（ａ）従来の全体構成を一部断面で概略的に示した図、（ｂ）上下に隣接する発光部の一部分の構成を一部断面で示した図
【発明を実施するための形態】
【００６１】  以下、本発明の実施の形態を説明するために、図面を参照して説明する。
【００６２】（実施の形態１）
図１は、本発明の実施の形態１における表示装置の全体斜視図で、図２は、本発明の実施の形態１における表示装置のＹ方向の背面側から見た簡略断面図で、図３は、本発明の実施の形態１における制御系ユニット、表示系ユニット及びヘッドユニットの相互の関係を示すブロック図で、図４は、本発明の実施の形態１における表示装置の制御系ユニット及び表示系ユニットの一部の分解斜視図で、図５は本発明の実施の形態１における表示装置の表示系ユニット及びヘッドユニットの一部の分解斜視図で、図６（ａ）は、単一の柱状体の連通部に信号ケーブルが収容された状態を示す内部斜視図で、図６（ｂ）は、単一の柱状体の連通部に信号ケーブルが収容された状態を示す内部側面図で、図７（ａ）は、柱状体の直交断面形状がコの字形状の場合における信号ケーブルの収容状態を示す図で、図７（ｂ）は、柱状体の直交断面形状がＵの字形状の場合における信号ケーブルの収容状態を示す図で、図７（ｃ）は柱状体の直交断面形状がドーナツ形状（柱状体が円筒型パイプ形状）の場合における信号ケーブルの収容状態を示す図で、図８は、反射部材の形状を変えた３態様の光線追跡、輝度イメージ及び輝度分布の比較図で、図９は、本発明の実施の形態１における表示装置と外部の装置との関係を示すブロック図である。
【００６３】  まず、図１における表示装置１０は、全体としては所謂タワー形状を成し、下方に位置する制御系ユニット１１と、上方に位置するヘッドユニット１２と、両者により中間部分（頭部よりやや下）に狭装された表示系ユニット１３とを備えている。
【００６４】  ここで、以下の説明を容易にするため、表示装置１０の幅方向をＸ方向、奥行き方向をＹ方向、高さ方向でもある軸方向をＺ方向とし、Ｘ方向、Ｙ方向およびＺ方向は、相互に直交する方向と定義する。
【００６５】  まず、中間部分に位置する表示系ユニット１３においては、クリアのグローブ１３ａ〜１３ｄは、図面上の上下方向（Ｚ軸方向と一致、以下軸方向と称する）に分解可能に４段積み重ねられ、それぞれが表示系ユニットの各段（各層）の外周部を構成している。
【００６６】  また、それらグローブ１３ａ〜１３ｄは、いずれも同一の形状であってほぼ円筒形の中空筒状を成している。
【００６７】  そして、それぞれのグローブは、内面には内周方向に沿って凹凸面が形成されており、これにより透過する光を軸方向と直交し中心から円周に向かう方向において拡散させるレンズ機能と、外面には軸方向に沿って凹凸面が形成されおりこれにより透過する光を軸方向に拡散させるレンズ機能を併せ持っている。
【００６８】  さらに、それらを４段軸方向にシール部材（図５参照）を介在させて重ねることにより全体として、軸方向に延びた中空筒状のグローブを構成している。
【００６９】  また、詳細には後述するが、各層のグローブ１３ａ〜１３ｄに内蔵される４つの光源グループ１３ｅ〜１３ｈ（図２参照）として、上段から下段へ、赤色、黄色、緑色を発光するＬＥＤが複数個（６個）ずつ円環状に搭載され、最下段の層には青色を発光するＬＥＤと白色を発光するＬＥＤが混在で搭載されている。
【００７０】  結果として、４つの光源グループ１３ｅ〜１３ｈは、軸方向に沿って相互に離間して積層され、前述した４つのグローブ１３ａ〜１３ｄから構成されるグローブによって覆われている。
【００７１】  一方、外部の装置との無線データ通信機能を有するヘッドユニット１２が、表示系ユニット１３の軸方向における上方に隣接配置されている。
【００７２】  ヘッドユニット１２は、回転中心軸がＸ軸と平行で、かつ、軸方向と直交する水平方向（Ｙ方向）に傾倒可能な一対の可動部１２ａを側頭部に有している。
【００７３】  さらに、可動部１２ａのうち少なくとも一方の可動部１２ａには、図示しない外部の装置との無線データ通信機能を有するアンテナが内蔵されている。
【００７４】  他方、表示系ユニット１３の最下層に位置するグローブ１３ｄの下方には、４つの光源グループ１３ｅ〜１３ｈの発光制御を行う制御系ユニット１１が隣接配置されている。
【００７５】  また、制御系ユニット１１の前面側（Ｙ方向の手前側）には、所定のブザー音を前面側に通過させるため、複数の長孔が外周面に沿って列べられた開口部１１ａが設けられている。
【００７６】  また、開口部１１ａの下方には、本装置の電源入状態（電源表示）、有線アクセス、有線リンク、無線アクセスおよび無線リンクの各表示のためのインジケータ部１１ｂが配置され、さらにその部分から下方向に向かって制御系ユニット１１の外表面が流線的に拡径して最大外径の円筒形底部１１ｃ（図４参照）につながっている。
【００７７】  さらに、円筒形底部１１ｃは、防水性や緩衝性を有するシリコンゴム製のシール部材１１ｎにより外周側から覆設される。
【００７８】  そして、その拡径部分とその下部の前面側は、一部フラット化され、操作パネル部１１ｄを構成している。
【００７９】  操作パネル部においては、上部のスライドフックを上方向にスライドさせ、前面カバーの係止状態を解除し、下方のヒンジを支点にして手前側に開けば、内蔵の各種スイッチ（図示せず）の設定が可能となっている。
【００８０】  また、コンフィグレーション設定用ピンジャック（図示せず）にパソコンなどの外部機器を接続すれば、ファームウェアのＵＰ／ＤＯＷＮロードなども可能となっている。
【００８１】  また、制御系ユニット１１においては、後述するヘッドユニット１２の可動部１２ａの傾倒方向（Ｙ方向）の手前向きを中央として中心角１８０°内に収まる外周範囲内に操作パネル部１１ｄとインジケータ部１１ｂが配置されている。
【００８２】  これにより、オペレータが可動部１２ａの傾倒状態（傾倒角度）を調整しながら、インジケータ部１１ｂの発光状態によりアクセス、リンクの状態も同一視野内で容易に視認できる。
【００８３】  また、同様に操作パネル部１１ｄ内に配置された各種スイッチの設定やコンフィグレーション設定用ピンジャックにパソコンなどの外部機器を接続してファームウェアのＵＰ／ＤＯＷＮロードなどの操作も容易となる。
【００８４】  そして、制御系ユニット１１の内部には、外部の電源ライン（図示せず）から電源コネクタを介し供給された交流電圧または直流電圧を、各回路基板を駆動できる所定の直流電圧に変換し、次段の基板に電圧供給を行うＰＳ基板１１ｆ、信号入出力コネクタを介した外部装置の入力信号に応じて表示系ユニット１３の各層の点灯制御などを行うＩＦ基板１１ｅ、有線入力コネクタを介して接続されたＥｔｈｅｒｎｅｔ（登録商標、以下同じ）などに対応したネットワークケーブルとの入出力処理や無線ＬＡＮ基板１１ｇとの入出力処理、さらにはインジケータ部１１ｂの発光処理やブザー装置１１ｏ（図４参照）のＯＮ／ＯＦＦ処理などを行うＣＰＵ基板１１ｈなどが実装されている（図３参照）。
【００８５】  以上のように、下方に多くに構成部品を内蔵する制御系ユニット１１を配したことにより、外部の装置に本装置を搭載する際に必要な取付機構を設けたり、外部装置との接続に必要な電源ラインやＥｔｈｅｒｎｅｔなどの各種ネットワークケーブルなどを下方から挿設して、コネクタ経由で配線を行ったりすることも容易となり、低重心化も同時に達成される。
【００８６】  次に、図２と図３を参照し、内部の構成と相互の関連性を説明する。
【００８７】  まず、４層（４段）の軸方向に延びたグローブ１３ａ〜１３ｄは、表示系ユニット１３の外周部に位置し、その中空１３ｉには、各層毎に複数のＬＥＤの集合体から成る光源グループ１３ｅ〜１３ｈが軸方向に沿って相互に離間して積層配置され、各層毎のＬＥＤの集合体と対応したグローブ１３ａ〜１３ｄによってそれぞれ覆われている。
【００８８】  一方、各層毎の光源グループ１３ｅ〜１３ｈは、制御系ユニット１１に内蔵されるＩＦ基板１１ｅと電気的に接続された回路基板１３ｊ〜１３ｍの下面に、軸方向から見て（下から上を見て）破線で示した単一の柱状体１３ｎを環状に囲むように搭載された、単色の場合であれば６個、２色の場合であれば１２個のチップ型のＬＥＤの集合体から構成されている。
【００８９】  また、上段から下段へ反射部材１３ｐ〜１３ｓ（図２では最上段の反射部材１３ｐのみを示し、反射部材１３ｑ〜１３ｓを省略した。図４に全ての反射部材１３ｐ〜１３ｓの分解斜視図を示した）が設けられている。
【００９０】  これらの反射部材１３ｐ〜１３ｓは、光源グループ１３ｅ〜１３ｈから下方へ軸方向に沿って放射された光を、軸方向と直交し中心から円周に向かう方向へ反射している。
【００９１】  ここで、反射部材１３ｐ〜１３ｓとしては、例えば、鏡面平滑性を持ったメタクリル樹脂やポリカーボネイト樹脂にアルミニウムや銀などの金属素材の蒸着を施したもの、アルミニウムの表面に光沢ニッケル−クロムめっきを施こしたもの（アルミミラー）や、鋼板の表面に光沢ニッケル−クロムめっきや光沢ニッケル−金めっきを施したもの、など反射率を高めたものが好ましい。
【００９２】  また、反射部材１３ｐ〜１３ｓの外周面は、一点鎖線で示したＬＥＤの中心光軸（軸方向と平行）に対して所定の傾斜角度（フレア角）を有する３段の傾斜面（上からＳ１，Ｓ２，Ｓ３）と、その間を接続する接続曲面（上からＰ１，Ｐ２）とから構成されている（図８の最上段を参照）。
【００９３】  ここで、それぞれの傾斜面（Ｓ１，Ｓ２，Ｓ３）を、いずれも一点鎖線で示した軸方向と平行なＬＥＤの中心光軸に対して３０°から６０°までの範囲の傾斜角度（フレア角）をもって形成するのが好ましい。
【００９４】  加えて、各光源グループ１３ｅ〜１３ｈに近い内周側の傾斜角度よりも外周側の傾斜角度を大きく設定することが好ましく、３０°＜傾斜面Ｓ１の傾斜角θＳ１＜傾斜面Ｓ２の傾斜角θＳ２、傾斜面Ｓ３の傾斜角θＳ３＜６０°の関係となるように設定している。
【００９５】  これにより、それぞれの傾斜面（Ｓ１，Ｓ２，Ｓ３）に反射され、グローブ１３ａ〜１３ｄを通過し外部に放射される光の上下方向における視野角が必要以上に大きくならず、適切な視野角内に収まるという効果が発揮される。
【００９６】  また、２つの接続曲面（Ｐ１，Ｐ２）は、内周側の接続曲面Ｐ１の半径ｒ１が複数のＬＥＤの実装半径ｒ（以下、環状に実装された６個乃至１２個のＬＥＤを通る仮想円の半径と定義する）よりも小さく、外周側の接続曲面Ｐ２の半径ｒ２が実装半径ｒよりも大きく設定されている。
【００９７】  すなわち、内周側の接続曲面Ｐ１の半径ｒ１と外周側の接続曲面Ｐ２の半径ｒ２は、ｒ１＜ｒ＜ｒ２の関係を満足している。
【００９８】  このように、ＬＥＤの実装半径ｒを、全３段の傾斜面のうち２段目（中段）の傾斜面Ｓ２の位置する半径範囲と重なるように設定することにより、２段目（中段）の傾斜面Ｓ２が最も光量の大きな中心光軸上に位置することになる。
【００９９】  このような工夫により、反射後に外周方向に向く光の輝度が上下方向において大きな偏りがなく、かつ、有効な視野角内において良好な均一性が確保される。
【０１００】  また、仮に環状に実装されるＬＥＤの仮想円が複数あって、そららが同心円である場合には、それぞれのＬＥＤの実装半径ｒの平均値が上記の範囲を満足すればよい。
【０１０１】  なお、前述した３段の傾斜面（Ｓ１，Ｓ２，Ｓ３）のうち、いずれかまたは全てを軸方向に平行な平面で切断した場合の形状を略円弧形状としてもよく、外周側へ凸形状または内周側へ凸形状であってもよい。
【０１０２】  その際における傾斜角度（フレア角）は、傾斜面の内周側の最小半径部と外周側の最大半径部とを短絡する直線的な仮想側面を描き、その仮想側面の傾斜角度に相当するものとする。
【０１０３】  また、反射部材１３ｐ〜１３ｓは、単一の柱状体１３ｎを通る軸方向の平面（ＸＺ平面）で２分割された一対の部材が単一の柱状体１３ｎを挟み込むようにして組み合わされるため、全体として傘状の形態を有している（図４及び図８の最上段参照）。
【０１０４】  これにより、ＬＥＤから放射された光の大半が、軸方向と直交し中心から円周に向かう方向へ反射されるため、軸方向や内向きの方向など不要な方向への光の反射と拡散が防止されグローブ１３ａ〜１３ｄを透過し本装置外部に放射される光量をより増大できる。
【０１０５】  つまり、表示したい発光色について、オペレータに対する感知性（識別性）を効果的に向上できる。
【０１０６】  また、前述したように、制御系ユニット１１の内部には、外部の電源ラインから下方の電源コネクタを介し供給された交流電圧または直流電圧を、各回路基板を駆動できる所定の直流電圧に変換し次段の基板に電圧供給を行うＰＳ基板１１ｆが実装されている。
【０１０７】  同様に、下方の信号入出力コネクタを介した外部装置の入力信号（オープンコレクタ入力またはＰＮＰ／ＮＰＮ型入力）に応じて、ＣＰＵ基板１１ｈの所定の点灯制御プログラムに基づき、表示系ユニット１３の光源グループ１３ｅ〜１３ｈの点灯、消灯、点滅などのスイッチ的な点灯制御を行うＩＦ基板１１ｅが実装されている。
【０１０８】  さらに、下方の有線入力コネクタを介して接続されたＥｔｈｅｒｎｅｔなどに対応のネットワークケーブルとの入出力処理や無線ＬＡＮ基板１１ｇとの入出力処理、さらにはインジケータ部１１ｂの発光処理やブザーＢＺ（ブザー装置１１ｏの上部に相当）のＯＮ／ＯＦＦ処理などを行うＣＰＵ基板１１ｈが実装され、その上部に同軸ケーブルなどの信号ケーブルと接続される無線ＬＡＮ基板１１ｇも実装され、それらがコネクタを介して接続されている。
【０１０９】  一方、グローブ１３ａ〜１３ｄの内方には、連通部（図４、図６、図７参照）を有する単一の柱状体１３ｎが配置され、その連通部は、軸方向に沿って表示系ユニット１３の各層に跨って延び、かつ制御系ユニット１１の内部空間１１ｙとヘッドユニット１２の内部空間１２ｙとを連通している。
【０１１０】  また、詳細には後述するが、単一の柱状体１３ｎの上端部は、ヘッドユニット１２の下部に連結されるとともに、単一の柱状体１３ｎの下端部は、制御系ユニット１１の上部に連結されることにより、制御系ユニット１１は、単一の柱状体１３ｎを介してヘッドユニット１２を支持している。
【０１１１】  さらに、前述したデータ通信のための信号伝達経路として破線で示した信号ケーブルの中間部分は、単一の柱状体１３ｎの連通部に収容され、信号ケーブルの上端部が可動部１２ａに内蔵されたアンテナに接続され、信号ケーブルの下端部が無線ＬＡＮ基板１１ｇの上部に接続されている。
【０１１２】  これにより、信号ケーブルを単一の柱状体１３ｎの連通部に収容させて、最短で直線的に配設できるため、各層毎に配置された回路基板１３ｊ〜１３ｍを経由（迂回）させる必要がない。
【０１１３】  そして、外部から加わる振動や落下の衝撃によって生じる光源グループ１３ｅ〜１３ｈや回路基板１３ｊ〜１３ｍの変位の影響を受けることなく、安定した無線データ通信を実現できる。
【０１１４】  また、単一の柱状体１３ｎは、弾性を有する導電性の金属素材として、例えば熱間圧延軟鋼板が好ましいが、他に冷間圧延軟鋼板、ステンレス鋼、アルミニウム、アルミニウム合金、銅合金などでも構わない。
【０１１５】  これにより、外部から加わる振動や落下の衝撃によって生じる光源グループ１３ｅ〜１３ｈや回路基板１３ｊ〜１３ｍの変位が単一の柱状体１３ｎに作用したとしても弾性変形により変位応力が吸収され局所的な応力集中を抑制できる。
【０１１６】  そして、単一の柱状体１３ｎは、メインフレーム１１ｊ（図４参照）や導線を介して制御系ユニット１１のグランド端子（フレームグランド）と電気的に接続されることが好ましい。
【０１１７】  これにより、ヘッドユニット１２と制御系ユニット１１との間において伝達される信号に対する外部から侵入する無線ノイズの影響が軽減されるという、所謂シールド効果も有効に得られ、歪みの少ない安定したパルス信号を伝達できる。
【０１１８】  次に、図４を参照し、内部の構成をさらに詳細に説明する。
【０１１９】  制御系ユニット１１の前面側（Ｙ方向の手前側）を構成する樹脂製のフロントケース１１ｉには、前述した開口部１１ａ、インジケータ部１１ｂ、および操作パネル部１１ｄが配置されている。
【０１２０】  また、フロントケース１１ｉの内方には、例えば熱間圧延軟鋼板、冷間圧延軟鋼板、ステンレス鋼、アルミニウム、アルミニウム合金、銅合金などの金属素材のメインフレーム１１ｊが配置される。
【０１２１】  メインフレーム１１ｊは、底部に円環部を有し、上部にＹ方向から見てＬ字状の折曲部を左右に有し、かつそれぞれに貫通孔が形成されている。
【０１２２】  また、メインフレーム１１ｊの底部の円環部の真上に、ボトムカバー１１ｋが配置され、その上部に前述したＣＰＵ基板１１ｈ、ＩＦ基板１１ｅおよびＰＳ基板１１ｆが相互に平行かつ軸方向と平行に載置されている。
【０１２３】  一方、ブザー装置１１ｏには、上部にブザーＢＺ、下部に共鳴空間を構成する部材が組み込まれ、前面側（Ｙ方向側）の開口部分がフロントケース１１ｉの開口部１１ａと対向するように配置され４本のビス留めがなされている。
【０１２４】  そして、上記の構成部材は、フロントケース１１ｉとリアケース（図示せず）とによりシリコンゴム製のシール部材を介在させ前後から挟み込まれるようにして組み付けられ、一対のマウントプレート１１ｍを内部に介在させて下方から４本のビス留めにより円筒形底部１１ｃの下部に固定される。
【０１２５】  その後、円筒形底部１１ｃが、防水性や緩衝性を有するシリコンゴム製のシール部材１１ｎにより、外周側から覆設される。
【０１２６】  一方、メインフレーム１１ｊの上部をなす折曲部に、連通部を有する単一の柱状体１３ｎの下端部（Ｘ方向から見てＬ字状の左右折曲部）が載置され、それぞれの２箇所の貫通孔に上方から挿通する２本のボルトに対して下側からのナット（図示せず）留めにより固定される。
【０１２７】  また、連通部を有する単一の柱状体１３ｎは、組み立て後の状態としてグローブ１３ａ〜１３ｄの内方に配置され、単一の柱状体１３ｎの連通部は、制御系ユニット１１の内部空間１１ｙとヘッドユニット１２の内部空間１２ｙとを連通しているので、同軸ケーブルなどの信号ケーブル（図５参照）をその連通部に収容することにより最短経路で電気的な接続を可能としている。
【０１２８】  ここで、単一の柱状体１３ｎが単一であることにより、全方位における曲がりに対する表示系ユニット１３の強度を確保しつつ軽量化を実現できている。
【０１２９】  さらに、単一の柱状体１３ｎのＸ方向の手前側が開放された連通部に、信号ケーブルを一旦収容した後に、必要に応じ緩衝性、絶縁性または耐熱性などの性質を有しその直交断面形状が矩形のパイプ部材１３ｔを上部から挿通して単一の柱状体１３ｎの側方を覆設してもよい。
【０１３０】  これにより、例えば単一の柱状体１３ｎと回路基板１３ｊ〜１３ｍとの間の相互作用（物理的な干渉）をより低減できる。
【０１３１】  そして、パイプ部材１３ｔを覆設した後、中央が矩形に開口されたセンターホルダ１３ｕをパイプ部材１３ｔの外側に嵌挿した後、後述する表示系ユニット１３の各構成部材を組み立てる。
【０１３２】  また、図４の右側には、上段から下段へ反射部材１３ｐ〜１３ｓが各々２分割された斜視図が示されている。
【０１３３】  ここで、反射部材１３ｐ〜１３ｓは前述したように、それぞれ単一の柱状体１３ｎを通る軸方向と平行な面（ＸＺ平面）で２分割された一対の部材で構成されているが、単一の柱状体１３ｎを挟み込むようにして組み合わされた後は、全体として傘状の形態を有する。
【０１３４】  このように、反射部材１３ｐ〜１３ｓが、２分割された一対の部材から構成されることにより、例えば表示系ユニット１３の組み立て過程において、光源グループ１３ｅ〜１３ｈ（図２参照）を駆動する回路基板１３ｊ〜１３ｍの中央の矩形開口に単一の柱状体１３ｎを予め挿通した後、フラットケーブルなどで相互に隣接する回路基板１３ｊ〜１３ｍの電気的接続を容易に行うことができる（図６（ａ）参照）。
【０１３５】  その後、反射部材１３ｐ〜１３ｓの２分割された一対の部材のそれぞれに設けられた上下のフックを介して、回路基板１３ｊ〜１３ｍと組み合わされる。
【０１３６】例えば、反射部材１３ｑについては、回路基板１３ｌが一対の部材の内面に形成された溝部に抱き込まれ、各々の下フックが回路基板１３ｌのフック孔に上側から嵌着し、各々の上フックが回路基板１３ｋのフック孔に下側から嵌着することにより、回路基板１３ｋと回路基板１３ｌが反射部材１３ｑの高さの寸法に応じて所定の位置に規制され、かつそれらが強固に結合される。
【０１３７】  これにより、フラットケーブルが２分割された一対の反射部材１３ｐ〜１３ｓの内側に位置するため、ＬＥＤから放射される光を遮光することなく、全方位に亘ってより均一に反射光を外部に放射できるという効果を有する。
【０１３８】  また、このような簡素な構成により、２分割された一対の部材を傘状の形態に組み立てるうえで、別部材となるボルトやナットなどの固定手段を設ける必要もないため、分解や組み立ても極めて容易となる。
【０１３９】  さらに、本実施の形態に係わる４層のグローブ１３ａ〜１３ｄ（図５参照）を含め、１灯の単層から５灯以上の多層まで、適宜単一の柱状体１３ｎの全長を変えるという設計変更のみで様々な仕様変更にも容易に対応できる。
【０１４０】  次に、図５を参照し、表示系ユニット１３を構成するグローブ１３ａ〜１３ｄとヘッドユニット１２の一部の構成を説明する。
【０１４１】  グローブ１３ａ〜１３ｄは、前述したように軸方向にシール部材を介在させて４段（４層）重ねることにより、全体として軸方向に延びた中空筒状のグローブを構成している。
【０１４２】  また、最上段のグローブ１３ａの上部にも同じくシール部材が介在しヘッドユニット１２の下部ユニット１２ｂが介装されている。
【０１４３】  さらに、下部ユニット１２ｂの内方に円盤部材１２ｃが載置された後、その中央の貫通孔に下方からボルト（図４参照）が挿通されてワッシャを挟みナットに螺合される。
【０１４４】  ここで、あらかじめ、ボルトは単一の柱状体１３ｎの上端部（Ｙ方向から見てＬ字状の折曲部）の中央の貫通孔に下側から挿通されている。
【０１４５】  したがって、単一の柱状体１３ｎの上端部は、ヘッドユニット１２の下部に連結されるとともに、単一の柱状体１３ｎの下端部は、前述したように制御系ユニット１１を構成するメインフレーム１１ｊの上部に連結された構成となる。
【０１４６】  これにより、ヘッドユニット１２は、単一の柱状体１３ｎを介して制御系ユニット１１により支持される。
【０１４７】  その結果、各層毎に分断されていない単一の柱状体１３ｎによりヘッドユニット１２が制御系ユニット１１に対して強固に支持されるため、外部から加わる振動、落下の衝撃などによる慣性力がヘッドユニット１２に加わっても振り子現象が軽減されるため、ヘッドユニット１２と制御系ユニット１１との間の電気的な接続経路（例えば、同軸ケーブルなどの信号ケーブル）に対する変位を小さくできる。
【０１４８】  また、下部ユニット１２ｂの上側には、シール部材が介装された後、上部ユニット１２ｄが取り付けられるが、その側頭部の凹部に一対の可動部１２ａが軸方向と直交する水平方向（Ｙ方向）に傾倒可能に組み込まれる。
【０１４９】  また、同軸ケーブルなどの信号ケーブルは、下方に挿通された２つのインシュレータにより制御系ユニット１１の内部の所定の固定場所に掛止される。
【０１５０】  次に、図６（ａ）と図６（ｂ）を参照し、信号ケーブルが単一の柱状体１３ｎの連通部に収容された状態を説明する。
【０１５１】  ここで、直交断面形状がコの字形状の単一の柱状体１３ｎは、Ｘ方向の手前側に開放された連通部を軸方向に沿って有し、その連通部に通信ケーブルを這わした状態で収容し、さらに上部から挿通された直交断面形状が矩形のパイプ部材１３ｔによりその側方は全周囲に亘って覆設されている。
【０１５２】  例えば、本図のように、信号ケーブルとして同軸ケーブルを用いた場合であれば、上部の同軸コネクタは、左側の可動部１２ａに内蔵されたアンテナ（図示せず）と接続され、下部の同軸コネクタは、前述した制御系ユニット１１の無線ＬＡＮ基板１１ｇの上部に配置されたコネクタと接続される。
【０１５３】  そして、このようにアンテナが信号ケーブルを介して無線ＬＡＮ基板１１ｇと接続されることにより、図示しない外部の装置との無線データ通信機能を有し、適宜可動部１２ａを真上から水平または真下の範囲（Ｘ軸と平行な回転中心軸を有し、ＹＺ平面に沿った範囲）において傾倒可能なので、送受信状態に応じて傾倒角度を調整できる。
【０１５４】  これにより、仮にヘッドユニット１２の上部ユニット１２ｄが電波の届きにくい金属筐体で構成されている場合であっても、外部の装置との無線データ通信を実現できるばかりでなく、その通信距離を容易に伸ばすこともできる。
【０１５５】  次に、図７（ａ）〜（ｃ）を参照し、単一の柱状体１３ｎと連通部と信号ケーブルとの位置関係を直交断面図を用いて説明する。
【０１５６】  図７（ａ）で示したように、単一の柱状体１３ｎは、軸方向と直交する平面（ＸＹ平面）による直交断面形状がコの字形状であることが好ましい。
【０１５７】  本実施の形態によれば、前述した金属素材からなる平板状部材をＸ方向においてプレス加工を行われ、上向きに連通部が開放されたコの字形状に成型されている。
【０１５８】  この場合、単一の柱状体１３ｎの内周側の面と、軸方向に沿った両端（ａ，ｂ）を結ぶ破線Ｌ１−Ｌ２を通る仮想平面（ＹＺ平面）とに囲まれた空間が連通部を構成している。
【０１５９】  また、１つの変形例として、図７（ｂ）は、単一の柱状体３３ｎが、軸方向と直交する平面（ＸＹ平面）による直交断面形状としてＵの字形状である場合を示している。
【０１６０】  この場合、同様にその内周側の面と、軸方向に沿った両端（ｃ，ｄ）を結ぶ破線Ｌ３−Ｌ４を通る仮想平面（ＹＺ平面）とに囲まれた空間が連通部を構成している。
【０１６１】  さらに、別の変形例として、図７（ｃ）は、単一の柱状体４３ｎが、、軸方向と直交する平面（ＸＹ平面）による直交断面形状としてドーナツ形状（柱状体が円筒型パイプ形状）である場合を示している。
【０１６２】  図７（ａ）〜（ｃ）から明らかなように、単一の柱状体１３ｎ、３３ｎ、４３ｎの連通部の軸方向に対する直交断面積は、制御系ユニット１１とヘッドユニット１２との間におけるデータ通信用の信号ケーブルの直交断面積よりも大きいことが好ましい。
【０１６３】  これにより、信号ケーブルが連通部の外周を囲む単一の柱状体１３ｎ、３３ｎ、４３ｎの内面（内壁）により狭装されて、圧迫されることがないので、仮に、外部から加わる振動や落下の衝撃によって、単一の柱状体１３ｎ、３３ｎ、４３ｎに大きな湾曲変形が生じても、直交断面積の相違から生じる隙間の介在により信号ケーブル自体の変形などの影響を受けにくく断線や導通不良による抵抗値増大などの信号伝達性を損なう要因を排除できる。
【０１６４】  また、いずれの場合においても、信号ケーブルとして例えば同軸ケーブルを用いた場合で説明したが、他にツイストペアケーブルやフラットケーブルなどを適宜採用しても差し支えない。
【０１６５】  また、連通部には前述した信号ケーブルのみの収容だけでなく、例えば周波数帯域の異なる別アンテナをヘッドユニット１２に加えて搭載することも可能であり、それと接続する信号ケーブルを併せて連通部に収容してもよいし、回路基板１３ｊ〜１３ｍの間における各ＬＥＤの集合体を駆動する直流電圧を供給するためのリードワイヤを収容してもよい。
【０１６６】  次に、図８を参照し、反射部材１３ｐ〜１３ｓの外周面に３段の傾斜面を形成した場合の光線追跡、輝度イメージ及び輝度分布について、代表的な公知技術である１段や２段の傾斜面を形成した場合と比較して説明する。
【０１６７】  なお、本評価条件として、反射部材のみの形状を変更比較し、他のパラメータを同一（例えば、グローブは、内面には内周方向に沿って均等ピッチで凹凸面が形成され、外面には軸方向に沿って均等ピッチで凹凸面が形成された形態）とした。
【０１６８】  ここで、光線追跡における直線は、ＬＥＤから放射された光線をモンテカルロ法に基づいて表した代表線を示したもので、ＬＥＤから発射された光の反射や屈折による軌跡が反映されており、輝度分布は横軸に上下方向の位置、縦軸に輝度をプロットしグローブ表面上の輝度分布を示したものである。
【０１６９】  また、輝度イメージは、輝度分布を２次元平面上のプロットで表し、グローブ表面との位置関係において把握できるようにしたものである。
【０１７０】  この比較図から明らかなように、反射部材に１段の傾斜面を形成した場合は、−４ｍｍから＋１３ｍｍまでの範囲の狭い範囲においてしか有効な輝度が得られず下側の輝度低下が避けられない。
【０１７１】  また、反射部材に２段の傾斜面を形成した場合は、−１０ｍｍから＋１３ｍｍまでの範囲において輝度分布が認められるが、中央の輝度低下が避けられず均一性が不足している。
【０１７２】  原因として、２段の傾斜面を接続する接続曲面は、ＬＥＤの中心光軸上とほぼ一致する位置であり、この場合中央の輝度が低下した部分は、２段の傾斜面を接続する接続曲面が対向する部分に相当していることから、中心光軸上の光が有効に外周側の方向へ反射されていないものと推測される。
【０１７３】  それに対し、本実施の形態のように反射部材に３段の傾斜面を形成した場合は、グローブのレンズ効果により断続性が認められるものの、ほぼ−１０ｍｍから＋１３ｍｍまでの範囲に亘ってほぼ均等な輝度分布が得られている。
【０１７４】  次に、図９を参照し、インフラストラクチャーモードで使用した場合における本装置と外部の装置との関係を説明する。
【０１７５】  図示した異なる２つの外部装置のそれぞれにおいて、子局として位置づけた無線通信機能を有する本発明に係わる表示装置が搭載され、いずれもそれぞれの外部装置の起動、運転、停止、異常または故障などの装置状態を基本的に表示している。
【０１７６】  一方、いずれもＥｔｈｅｒｎｅｔなどのネットワークケーブルを介してリモートＩＯ（遠隔式入出力装置）にも接続されているため、末端の各種計測センサーなどから収集した計測値情報またはパソコンからの情報データを無線データ通信により親局側として位置づけた本発明に係わる表示装置へのデータ送信が可能となっている。
【０１７７】  そして、受信されたデータは同様にＥｔｈｅｒｎｅｔなどのネットワークケーブルを介して上位のＰＬＣ（Ｐｒｏｇｒａｍａｂｌｅ  Ｌｏｇｉｃ  Ｃｏｎｔｏｒｏｌｌｅｒ）やＤＣＳ（Ｄｉｓｔｒｉｂｕｔｅｄ  Ｃｏｎｔｒｏｌ  Ｓｙｓｔｅｍ）等へ受け渡しが可能となっている。
【０１７８】  なお、本発明の技術的範囲は、上述した実施の形態に限定されるものでなく、請求項に示した範囲で種々の変形が可能であり、異なる実施の形態にそれぞれ開示された技術的な手段を適宜組み合わせて得られる実施の形態の変形例についても本発明の技術的範囲に含まれるものとする。
【０１７９】  例えば、表示系ユニットとしては、５色４灯（４層）の場合について説明したが、単層（１灯）〜３層、あるいは５層（５灯）以上でもよく、少なくとも連通部を有する単一の柱状体がグローブの内方（中心位置には限定されない）に配置されればよい。
【０１８０】  また、複数の光源グループの内の相互に隣接する２層以上の光源グループが、各層毎に分離可能なグローブで覆われた場合について説明したが、それら全層を分離できない単一のグローブで覆われた構成としてもよいし、２層以上に亘って部分的に覆われた構成としてもよい。
【０１８１】  例えば、各光源グルーブのＬＥＤの発光色を相互に異ならせれば、着色しないクリアの単一のグローブでそれらを覆うことができるため、グローブの層間のシール部材などの境界部が不要となり、部品数も大きく削減できる。
【０１８２】  併せて、グローブが複数の層に亘って単一なので中空の密閉性をより向上できる。
【０１８３】  また、各層のグローブをクリアではなく、それ自体に着色を施してもよい。
【０１８４】  また、単一の柱状体の軸方向と直交する直交断面形状は、コの字形状またはＵ字形状が好ましいが円弧形状やＭ字形状、その他の形状であってもよく、その内周側の面と、軸方向に沿った両端を結ぶ仮想平面とにより囲まれた空間である連通部を確保できる形状であればよい。
【０１８５】  また、単一の柱状体の開放側（軸方向に沿って連通部が開放された側）を別部材で覆ってもよいし、外方に開放したままでもよい。
【０１８６】  また、単一の柱状体がパイプ形状の場合であれば、前述したような円筒型に限定されるものではなく、直交断面形状が矩形や楕円その他の形状でもよい。
【０１８７】  また、グローブの軸方向に対する直交断面形状は内外面が同心円上にあるドーナツ型以外の、例えば扁平型、矩形型、レーストラック型等どのような形状であっても中空筒状の形態であればよい。
【０１８８】  また、単一の柱状体の上端部は、ヘッドユニットの下部に連結されるとともに、単一の柱状体の下端部は、制御系ユニットの上部に連結されていればよく、それら連結の方法としてはボルトがナットに螺合した固定に限定されるものでなく、例えばカシメ、接着、溶接、溶着など接合に係わる各種の周知または慣用の技術を適宜用いればよい。
【０１８９】  さらに、制御系ユニットは、外部の装置からヘッドユニットを介して受信したデータに基づいて表示系ユニットの光源グループの点灯制御を行うような設計としてもよい。
【０１９０】  これにより、離間配置された外部の装置であっても、その起動、運転、待機、異常などの各種状態に応じてそれぞれの光源グループの点灯、消灯、点滅を含む各種の点灯制御を安定して実現できるので、オペレータがその装置状態を容易に把握できる。
【０１９１】  以上のように、本発明にかかる表示装置は、例えば接続された外部装置の起動、運転、停止、異常または故障などの装置状態を表示するという基本的な表示機能に加え、子局としての通信機能を備え、前述した外部装置の状態情報、遠隔式入出力装置を介して得られた計測値情報またはパソコンからのデータ情報をＰＬＣやＤＣＳなどの親局へ有線ネットワークを介して送信したり、親局としての通信機能を備え、無線通信を利用して子局から送信されたデータ情報を受信してＰＬＣやＤＣＳへの受け渡しを行ったりする表示装置として有用である。
【符号の説明】
【０１９２】１０  表示装置
１１  制御系ユニット
１１ａ  開口部
１１ｂ  インジケータ部
１１ｃ  円筒形底部
１１ｄ  操作パネル部
１１ｅ  ＩＦ基板
１１ｆ  ＰＳ基板
１１ｇ  無線ＬＡＮ基板
１１ｈ  ＣＰＵ基板
１１ｉ  フロントケース
１１ｊ  メインフレーム
１１ｋ  ボトムカバー
１１ｍ  マウントプレート
１１ｎ  シール部材
１１ｏ  ブザー装置
１１ｙ  制御系ユニットの内部空間
１２  ヘッドユニット
１２ａ  可動部
１２ｂ  下部ユニット
１２ｃ  円盤部材
１２ｄ  上部ユニット
１２ｙ  ヘッドユニットの内部空間
１３  表示系ユニット
１３ａ、１３ｂ、１３ｃ、１３ｄ  グローブ
１３ｅ、１３ｆ、１３ｇ、１３ｈ  光源グループ
１３ｉ  中空
１３ｊ、１３ｋ、１３ｌ、１３ｍ  回路基板
１３ｎ、３３ｎ、４３ｎ  単一の柱状体
１３ｐ、１３ｑ、１３ｒ、１３ｓ  反射部材
１３ｔ  パイプ部材
１３ｕ  センターホルダ
Ｓ１、Ｓ２、Ｓ３  傾斜面
Ｐ１、Ｐ２  接続曲面
θＳ１  傾斜面Ｓ１の傾斜角
θＳ２  傾斜面Ｓ２の傾斜角
θＳ３  傾斜面Ｓ３の傾斜角
ｒ  複数のＬＥＤの実装半径
ｒ１  接続曲面Ｐ１の半径
ｒ２  接続曲面Ｐ２の半径
ＢＺ  ブザー
【図１】
0005564694.tif 000002
【図２】
0005564694.tif 000003
【図３】
0005564694.tif 000004
【図４】
0005564694.tif 000005
【図５】
0005564694.tif 000006
【図６】
0005564694.tif 000007
【図７】
0005564694.tif 000008
【図８】
0005564694.tif 000009
【図９】
0005564694.tif 000010
【図１０】
0005564694.tif 000011